(57)【特許請求の範囲】
【請求項１】
建物の外壁内から引き出される電線が挿通される電線挿通孔が形成された第１基部と、
前記第１基部に対して段付に一体形成され、屋外に設置される電気機器が取付けられる第２基部とを有し、
前記第２基部における前記電気機器が取付けられる面は、前記電気機器の投影面より大きな面に形成され、
前記外壁に取付けられた場合の前記外壁から前記第２基部までの寸法が前記外壁から前記第１基部までの寸法より大きく設定され、
前記外壁に形成されて前記電線が引き出される引出孔と前記電線挿通孔とに差し込まれ、内部に前記電線が挿通されるパイプが前記第１基部に取付けられていることを特徴とする屋外用電気機器取付体。
【請求項２】
建物の外壁内から引き出される電線が挿通される電線挿通孔が形成された第１基部と、
前記第１基部に対して段付に一体形成され、屋外に設置される電気機器が取付けられる第２基部とを有し、
前記第１基部及び前記第２基部が略平板状に形成され、
前記外壁に取付けられた場合の前記外壁から前記第２基部までの寸法が前記外壁から前記第１基部までの寸法より大きく設定され、
前記外壁に形成されて前記電線が引き出される引出孔と前記電線挿通孔とに差し込まれ、内部に前記電線が挿通されるパイプが前記第１基部に取付けられていることを特徴とする屋外用電気機器取付体。
【請求項３】
前記パイプの外周部に設けられて前記電線挿通孔の縁部における前記外壁に対向する面に当接されるフランジ部と、前記パイプの外周面に形成されたネジ部に螺合されて前記フランジ部とにより前記電線挿通孔の縁部を挟持するネジ体とを備えることを特徴とする請求項１又は２記載の屋外用電気機器取付体。
【請求項４】
前記第２基部には、前記電気機器が取付けられる領域から前記第１基部側へ延出し、前記電気機器に接続される前記電線との間で無停電取替工具を挿入保持できる工具保持部が設けられていることを特徴とする請求項１ないし３のいずれか一記載の屋外用電気機器取付体。
【発明の詳細な説明】
【技術分野】
【０００１】
本発明は、建物の外壁表面に電力量計や開閉器等の電気機器を取付けるために使用する屋外用電気機器取付体に関し、特に、電気機器に接続される電線を外壁内に隠蔽配線する場合に適した屋外用電気機器取付体に関する。
【背景技術】
【０００２】
例えば、下記特許文献１に記載されているように、建物の外壁表面に電力量計や開閉器等の電気機器を設置するために使用される屋外用ボックスが知られている。
【０００３】
この屋外用ボックスは、外壁表面に取付けられる基板と、基板の正面側に取付けられる蓋体とを有し、基板に電気機器が取付けられ、基板に取付けられた電機機器が蓋体により覆われている。
【０００４】
電気機器には、電源から供給される電流が流れる電線と、電気機器を経由した電流が負荷に向けて流れる電線とが接続されている。これらの電線は、基板や蓋体に形成された挿通用の穴を通して屋外用ボックスから引き出され、外壁表面に沿って配線されている。
【０００５】
近年、建物の外壁表面に取付けられる電気機器に接続される電線に関する美観を向上させるため、電線を外壁内に隠蔽配線する場合が増えている。
【０００６】
電線が外壁内に隠蔽配線されている場合は、外壁に取付けられた屋外用ボックスの基板に覆われる領域内の外壁に引出孔が形成され、この引出孔に塩化ビニル等の樹脂製パイプが差し込まれ、外壁内に隠蔽配線された電線が樹脂製パイプ内を挿通して外壁内から引き出される。
【０００７】
樹脂製パイプを挿通して外壁内から引き出された電線は、基板に形成された電線挿通穴を挿通して基板の正面側に引き出され、基板に対して略直交する向きに湾曲され、基板に取付けられている電気機器に接続される。
【０００８】
外壁内から引き出された電線と電気機器との接続部分や電線挿通穴を挿通して電気機器に接続されている湾曲配線された電線は、人が触れたり何かが引っ掛かることを防止するため、端子カバーで覆う必要がある。
【特許文献１】特開平１０−１４５９１１号公報
【発明の開示】
【発明が解決しようとする課題】
【０００９】
しかしながら、前述の屋外用ボックスや、電線が外壁内に隠蔽配線された場合にこの屋外用ボックスを利用する場合においては、以下の点について配慮がなされていない。
【００１０】
近年、電源から供給される電流の大電流化を希望する家庭や事務所が増え、供給される電流が大電流化されることに伴って使用される電線の直径が太くなっている。使用される電線の直径が太くなることによってその電線の剛性が高くなり、外壁内から引き出されて電気機器に接続するために湾曲される電線の曲率半径が大きくなる。電線の曲率半径が大きくなることに伴って、電線を湾曲配線するための大きなスペースが必要となり、端子カバーを大型にする必要性が生じる。電線を湾曲配線するための大きなスペースが必要になったにも拘わらず従来サイズの端子カバーをそのまま用いたのでは、電線の湾曲部分が端子カバーに当たり、端子カバーが電線に押し上げられて浮き上がった状態となる場合があり、端子カバーの取付箇所に隙間が生じる場合がある。
【００１１】
端子カバーの取付箇所に隙間が生じると、例えば、その隙間から雨水が浸入し、侵入した雨水が電気機器に付着して故障の原因となる。
【００１２】
また、端子カバーの取付箇所に隙間が生じると、端子カバーの取付状態が弱体化し、何らかの部材が端子カバーに衝突したときに端子カバーが脱落する場合がある。
【００１３】
さらに、カバーの取付箇所に隙間が生じると、外壁への電気機器の取付構造の外観が著しく損なわれる。
【００１４】
本発明はこのような課題を解決するためになされたもので、その目的は、建物の外壁内から引き出された電線を屋外用電気機器取付体に取付けられた電気機器に接続した場合、電気機器へ接続される電線を湾曲させるスペースを十分に確保することができ、電気機器に設けられる端子カバーのサイズを変更することなく電線を湾曲配線することができる屋外用電気機器取付体を提供することである。
【課題を解決するための手段】
【００１５】
本発明の実施の形態に係る第１の特徴は、屋外用電気機器取付体において、建物の外壁内から引き出される電線が挿通される電線挿通孔が形成された第１基部と、前記第１基部に対して段付に一体形成され、屋外に設置される電気機器が取付けられる第２基部とを有し、前記第２基部における前記電気機器が取付けられる面は、前記電気機器の投影面より大きな面に形成され、前記外壁に取付けられた場合の前記外壁から前記第２基部までの寸法が前記外壁から前記第１基部までの寸法より大きく設定され、前記外壁に形成されて前記電線が引き出される引出孔と前記電線挿通孔とに差し込まれ、内部に前記電線が挿通されるパイプが前記第１基部に取付けられていることである。
【００１６】
本発明の実施の形態に係る第２の特徴は、屋外用電気機器取付体において、建物の外壁内から引き出される電線が挿通される電線挿通孔が形成された第１基部と、前記第１基部に対して段付に一体形成され、屋外に設置される電気機器が取付けられる第２基部とを有し、前記第１基部及び前記第２基部が略平板状に形成され、前記外壁に取付けられた場合の前記外壁から前記第２基部までの寸法が前記外壁から前記第１基部までの寸法より大きく設定され、前記外壁に形成されて前記電線が引き出される引出孔と前記電線挿通孔とに差し込まれ、内部に前記電線が挿通されるパイプが前記第１基部に取付けられていることである。
【発明の効果】
【００１７】
本発明によれば、電線挿通孔が形成された第１基部と電気機器が取付けられる第２基部との間に段差があり、この段差があることにより、電線挿通孔に挿通されて外壁内から引き出された電線を湾曲させて第２基部に取付けられた電気機器に接続する場合に、電線を湾曲配線するためのスペースを十分に確保することができる。したがって、従来より使用している端子カバーをそのまま用いて湾曲配線した電線を覆うことができるとともに電線が端子カバーに当接することを防止することができ、又は、当接した場合でも電線が端子カバーに強く当ることを防止することができ、端子カバーが電線に押されて浮き上がるということを防止することができる。
【発明を実施するための最良の形態】
【００１８】
以下、本発明の実施の形態を図面を用いて説明する。
【００１９】
本発明の一実施の形態に係る屋外用電気機器取付体１は、図１及び図２に示すように、第１基部２と第２基部３とを有し、外壁４に取付けられている。屋外用電気機器取付体１は、四隅に設けられた取付ネジ５により外壁４に取付けられている。外壁４に取付けられた屋外用電気機器取付体１における上辺と両側辺との３辺と外壁４との間はコーキング剤６により封止されている。
【００２０】
屋外用電気機器取付体１の第１基部２と第２基部３とは、直角に屈曲する段付に形成され、屋外用電気機器取付体１は第１基部２が下側となる向きに外壁４に取付けられている。なお、第１基部２と第２基部３との間の段付は直角に屈曲する形状に限らず、傾斜した形状の段付であってもよい。
【００２１】
屋外用電気機器取付体１が外壁４に取付けられた場合において、外壁４から第２基部３までの寸法“Ｂ”が、外壁４から第１基部２までの寸法“Ａ”より大きく設定されている。
【００２２】
外壁４内には電線７が隠蔽配線されている。外壁４には、外壁４に取付けられる屋外用電気機器取付体１により覆われる位置に一対の引出孔８が形成され、外壁４内に隠蔽配線された電線７の先端部が引出孔８から引き出されている。
【００２３】
第１基部２には、屋外用電気機器取付体１が外壁４に取付けられたときに引出孔８に対向し、引出孔８から引き出された電線７が挿通される一対の電線挿通孔９が形成されている。第２基部３には、電気機器である電力量計１０が取付けられている。
【００２４】
屋外用電気機器取付体１を外壁４に取付けた場合に対向している位置する引出孔８と電線挿通孔９とには、硬質塩化ビニル等の樹脂により形成されたパイプ１１が挿入されている。パイプ１１の外周部には、電線挿通孔９の縁部における外壁４に対向する面に当接されるフランジ部１２と、パイプ１１の外周部におけるフランジ部１２よりも電線挿通孔９に挿通される側に位置するネジ部１３とが形成されている。ネジ部１３にはネジ体１４が螺合され、フランジ部１２とネジ部１３に螺合されたネジ体１４とにより電線挿通孔９の縁部が挟持され、フランジ部１２とネジ体１４とによって電線挿通孔９の縁部が挟持されることによりパイプ１１が屋外用電気機器取付体１に取付けられている。
【００２５】
屋外用電気機器取付体１に取付けられたパイプ１１には、外壁４内から引き出された電線７が挿通されている。パイプ１１内を挿通された電線７の先端部は、電力量計１０に設けられた接続端子（図示せず）に接続されている。外壁４内から引き出された電線７は、パイプ１１内を挿通された後に接続端子に向けて上向きに湾曲されている。電線７が挿通されたパイプ１１内には、コーキング剤１５が充填されている。
【００２６】
電力量計１０には、取付ネジ１６により端子カバー１７が取付けられている。この端子カバー１７は、パイプ１１内を挿通されて上向きに湾曲されて電力量計１０に接続される電線７を覆っている。
【００２７】
第２基部３には、電力量計１０が取付けられる領域と同一面上に位置して第１基部２側へ延出し、第２基部３に取付けられた電力量計１０の接続端子に接続された電線７との間で無停電取替工具１８（図４、５参照）を挿入保持できる工具保持部１９が設けられている。無停電取替工具１８とは、電力量計１０を交換したり修理する場合に、電力量計１０の前後を接続する電流のバイパス路を形成するための周知の工具であり、この無停電取替工具１８を用いることにより、電流の流れを遮断することなく電力量計１０の交換や修理を行うことができる。
【００２８】
このような構成において、屋外用電気機器取付体１を用いた外壁４への電力量計１０の取付手順を図３を参照して説明する。
【００２９】
図３（ａ）は、外壁４に形成された引出孔８にパイプ１１が差し込まれ、外壁４内に隠蔽配線された電線７の先端部がパイプ１１内を挿通して外壁４内から引き出されている状態を示している。なお、外壁４内に隠蔽配線された電線７は６本であり、３本ずつが収束チューブ２０により収束されている。
【００３０】
図３（ｂ）は、外壁４に屋外用電気機器取付体１が取付けられた状態を示している。外壁４への屋外用電気機器取付体１の取付けは、屋外用電気機器取付体１の四隅に設けられた取付ネジ５を外壁４にねじ込むことにより行われている。パイプ１１におけるネジ部１３が形成された部分は屋外用電気機器取付体１の第１基部２に形成された電線挿通孔９に差し込まれ、ネジ部１３にネジ体１４が螺合されている。ネジ部１３に螺合されたネジ体１４とパイプ１１のフランジ部１２とにより電線挿通孔９の縁部が挟持され（図２参照）、屋外用電気機器取付体１に対してパイプ１１が固定されている。
【００３１】
図３（ｃ）は、屋外用電気機器取付体１の第２基部３に電力量計１０が取付けられ、第２基部３に取付けられた電力量計１０の接続端子にパイプ１１内を挿通された電線７の先端部が接続された状態を示している。電線７は、パイプ１１内を挿通された後に上向きに湾曲されて電力量計１０の接続端子側に案内され、接続端子に接続されている。
【００３２】
図３（ｃ）に示すように電線７の先端部が電力量計１０の接続端子に接続された後、パイプ１１内にコーキング剤１５が充填される。さらに、パイプ１１内へコーキング剤１５が充填された後、端子カバー１７が取付ネジ１６により電力量計１０に取付けられる。
【００３３】
ここで、電線挿通孔９が形成された第１基部２と電力量計１０が取付けられる第２基部３との間には段差があり、この段差があることにより、電線挿通孔９に挿通されて外壁４内から引き出された電線７を上向きに湾曲させて第２基部３に取付けられた電力量計１０に接続する場合に、電線７の水平方向に延出する距離を長くとることができ、電線７を湾曲配線するためのスペースを十分に確保することができる。したがって、従来サイズの端子カバー１７をそのまま用いることができる。このため、電線７の湾曲部分が端子カバー１７に強く当たることを防止することができ、従来サイズの端子カバー１７をそのまま使用することができる。そして、電線７の湾曲部分が端子カバー１７に強く当たり、端子カバーが浮き上がるということを防止することができる。
【００３４】
このため、端子カバー１７が浮き上がることが原因となる不都合の発生を防止することができる。防止できる不都合としては、例えば、端子カバー１７が浮き上がることにより発生する隙間から水が浸入し、浸入した水が電線７と接続端子との接続部に付着して故障の原因になることである。また、端子カバー１７が浮き上がることにより外観が損なわれることである。
【００３５】
コーキング剤１５をパイプ１１内に充填する位置は、第１基部２の位置と略同じであり、第２基部３の位置から一段下がっている。このため、パイプ１１内へコーキング剤１５を充填する作業に際しては、コーキング剤１５を充填する工具を第２基部３に接触させることなく容易に操作することが可能となり、パイプ１１内へのコーキング剤１５の充填作業を容易に行うことができる。
【００３６】
第１基部２へのパイプ１１の取付けは、パイプ１１のフランジ部１２とネジ体１４とにより第１基部２に形成された電線挿通孔９の縁部を挟持することにより行われている。このため、パイプ１１が電線挿通孔９や引出孔８から外れるということを確実に防止することができ、パイプ１１が電線挿通孔９や引出孔８から外れることが原因となる事故の発生を防止することができる。
【００３７】
第２基部３には、第２基部３における電力量計１０が取付けられる領域と第１基部２との間に工具保持部１９が形成されている。この工具保持部１９を利用することにより、図４及び図５に示すように、工具保持部１９と電線７との間に無停電取替工具１８を挿入保持することができる。無停電取替工具１８を工具保持部１９と電線７との間に挿入保持する場合には、端子カバー１７を外した状態で行う。
【図面の簡単な説明】
【００３８】
【図１】本発明の一実施の形態に係る屋外用電気機器取付体及びこの屋外用電気機器取付体を用いて外壁に取付けられた電力量計を示す正面図である。
【図２】その縦断側面図である。
【図３】屋外用電気機器取付体を用いた外壁への電力量計の取付手順を示す斜視図である。
【図４】無停電取替工具の取付状態を示す正面図である。
【図５】その側面図である。
【符号の説明】
【００３９】
１      屋外用電気機器取付体
２      第１基部
３      第２基部
４      外壁
７      電線
８      引出孔
９      電線挿通孔
１０      電気機器
１１      パイプ
１２      フランジ部
１３      ネジ部
１４      ネジ体
１８      無停電取替工具
１９      工具保持部
【図１】
0004539660.tif 000002
【図２】
0004539660.tif 000003
【図３】
0004539660.tif 000004
【図４】
0004539660.tif 000005
【図５】
0004539660.tif 000006